(57)【要約】      （修正有）【課題】  至急注文で一時中断された後、再度通常プリント処理が再開されても、複数の受け皿に分けられたオーダー分のプリントを他のオーダーのプリント中から簡単に識別することが出来る。【解決手段】  プリント処理部と、仕分け部と、制御装置と、前記制御手段に各種情報を入力するための入力装置とが備えられたプリント処理装置において、特定オーダーのプリント指示信号の入力に伴い、プリント処理中の通常オーダー分のプリントを途中で一時中断して、優先して行なう処理割り込み機能と、分別収容表示制御機能とが構築され、表示部が、仕分け部の各受け皿に対応して設けられたランプから構成されて、プリント分別収容表示制御機能により特定された受け皿に対応するランプを点灯させるようにした。【選択図】  図３
2007052314.tif 000002
【特許請求の範囲】
【請求項１】
プリント用紙に画像をプリント処理するためのプリント処理部と、プリント処理部で仕上がったプリントを仕分けるための仕分け部と、これらプリント処理部及び仕分け部の駆動を制御するための制御装置と、前記制御手段に各種情報を入力するための入力装置とが備えられたプリント処理装置において、制御装置には、プリント処理されたプリントが複数の受皿に分かれて収容されたオーダー分のプリントの収容先を表示部に表示させるためのプリント分別収容表示制御機能が構築されていることを特徴とするプリント処理装置。
【請求項２】
プリント用紙に画像をプリント処理するためのプリント処理部と、プリント処理部で仕上がったプリントを仕分けるための仕分け部と、これらプリント処理部及び仕分け部の駆動を制御するための制御装置と、前記制御手段に各種情報を入力するための入力装置とが備えられたプリント処理装置において、前記入力装置が複数備えられ、制御装置には、複数の入力装置からそれぞれ特定オーダーのプリント指示信号が入力されるに伴い、プリント処理されたプリントが複数の受皿に分かれて収容された各特定オーダー分のプリントの収容先を表示部に表示させるためのプリント分別収容表示制御機能が構築されていることを特徴とするプリント処理装置。
【請求項３】
プリント用紙に画像をプリント処理するためのプリント処理部と、プリント処理部で仕上がったプリントを仕分けるための仕分け部と、これらプリント処理部及び仕分け部の駆動を制御するための制御装置と、前記制御手段に各種情報を入力するための入力装置とが備えられたプリント処理装置において、制御装置には、前記入力装置からの特定オーダーのプリント指示信号の入力に伴い、プリント処理中の通常オーダー分のプリントを途中で一時中断して、特定オーダー分のプリント処理を優先して行なった後、プリント途中で一時中断した通常オーダー分の残りのプリント処理を再開させるプリント処理割り込み機能と、プリント処理割り込み機能の作動により、プリント処理されたプリントが複数の受皿に分かれて収容された通常オーダー分のプリントの収容先を表示部に表示させるプリント分別収容表示制御機能とが構築されていることを特徴とする請求項１に記載のプリント処理装置。
【請求項４】
表示部が、仕分け部の各受け皿に対応して設けられたランプから構成されて、プリント分別収容表示制御機能により特定された受け皿に対応したランプを点灯させるようにしていることを特徴とする請求項１、２または３に記載のプリント処理装置。
【発明の詳細な説明】
【技術分野】
【０００１】
本発明は、主としてプリント用紙に画像をプリント処理するためのプリント処理部と、このプリント処理部で作成されたプリントをオーダー毎に仕分けするための仕分け部とが備えられたプリント処理装置に関する。
【背景技術】
【０００２】
一般にプリント処理処理装置は、印画紙などのプリント用紙に画像をプリント処理するためのプリント処理部と、プリント処理部で仕上がったプリントをオーダー毎に受け皿に仕分けるためのソーターから構成される仕分け部とが備えられている。
【０００３】
プリント処理部は、撮影データの受付機と、この受付機で受け付けた撮影データに基づいて、プリント用紙に画像を焼き付けるためのプリンターと、プリンターで画像が焼き付けられた印画紙を現像するためのプロセッサと、これら構成機器を主として制御するための制御装置とから構成されている。
【０００４】
そして以上のプリント処理装置では、受付機で受け付けられた画像データをプリンターによりプリント用紙に焼付処理した後、そのプリント用紙をプロセッサで現像処理して、プリントを仕上げ、更に仕上げられたプリントを、順次仕分け部に搬送して、この仕分け部によりプリントをオーダー毎に仕分けるようにしている。(特許文献1参照)
ところで、近年、通常のオーダー分のプリント処理を行なっている途中で、急ぎのプリントのオーダーが入った場合に、現在プリント処理中の通常のオーダー分のプリントを一時中断して、急ぎのオーダー分のプリント処理を優先して行なった後、プリント途中で一時中断した通常のオーダー分の残りのプリント処理を再開するようにしたプリント処理装置が開発されている。
【０００５】
しかしながら以上のプリント処理装置では、仕分け部の受け皿は、一方向にのみ移動する構造となっており、プリント搬出位置まで前進移動させてプリントを収容した受け皿を更に前記プリント搬出位置に前進移動させた後は、この受け皿をプリント搬出位置に後退移動させることが出来ない。
【０００６】
そのため、通常のオーダー分のプリント処理を行なっている途中に急ぎのプリントのオーダーが入った場合において、急ぎのオーダー分のプリント処理の優先により一時中断されたオーダーの残りのプリント処理を再開すると、通常のオーダー分のプリントが複数の受け皿に分かれて収容されることとなるので、オペレータは、プリント処理後、各受け皿に収容されたプリントをチェックして、多数の受け皿中のいずれのプリントが一まとまりであるのかを確認する必要が生じ、全体としてプリント処理作業が煩雑となる不具合がある。
【０００７】
また以上のプリント処理装置では、１オーダー分のプリント枚数が受け皿への最大収容枚数以上となった場合には、制御装置の制御により、1オーダー分のプリントが複数の受け皿に分かれて収容するようにしていることから、この場合でも、オベレータは、各受け皿に収容されたプリントをチェックして、多数の受け皿中のいずれのプリントが一まとまりであるのかを確認する必要が生じ、全体としてプリント処理作業が煩雑となる不具合がある。
【特許文献１】特開２００３−３３０１５７号公報
【発明の開示】
【発明が解決しようとする課題】
【０００８】
本発明は以上の実情に鑑みて開発したものであって、目的とするところは、例えば急ぎのプリント依頼などにより、通常のオーダー分のプリント処理が途中で一時中断された後、再度通常のオーダー分のプリント処理が再開されて、出来上がったプリントが複数の受け皿に分けられて収容された場合や、あるいは1オーダー分のプリント枚数が多すぎて、複数の受け皿に分けられて収容された場合などに、複数の受け皿に分けられたオーダー分のプリントを他のオーダーのプリント中から簡単に識別することが出来るプリント処理装置を提供するにある。
【課題を解決するための手段】
【０００９】
以上の目的を達成するために、請求項１に記載の発明は、プリント用紙に画像をプリント処理するためのプリント処理部と、プリント処理部で仕上がったプリントを仕分けるための仕分け部と、これらプリント処理部及び仕分け部の駆動を制御するための制御装置と、前記制御手段に各種情報を入力するための入力装置とが備えられたプリント処理装置において、制御装置には、プリント処理されたプリントが複数の受皿に分かれて収容されたオーダー分のプリントの収容先を表示部に表示させるためのプリント分別収容表示制御機能が構築されていることを特徴とするものである。
【００１０】
請求項２に記載乃発明は、プリント用紙に画像をプリント処理するためのプリント処理部と、プリント処理部で仕上がったプリントを仕分けるための仕分け部と、これらプリント処理部及び仕分け部の駆動を制御するための制御装置と、前記制御手段に各種情報を入力するための入力装置とが備えられたプリント処理装置において、前記入力装置が複数備えられ、制御装置には、複数の入力装置からそれぞれ特定オーダーのプリント指示信号が入力されるに伴い、プリント処理されたプリントが複数の受皿に分かれて収容された各特定オーダー分のプリントの収容先を表示部に表示させるためのプリント分別収容表示制御機能が構築されていることを特徴とするものである。
【００１１】
請求項３に記載の発明は、プリント用紙に画像をプリント処理するためのプリント処理部と、プリント処理部で仕上がったプリントを仕分けるための仕分け部と、これらプリント処理部及び仕分け部の駆動を制御するための制御装置と、前記制御手段に各種情報を入力するための入力装置とが備えられたプリント処理装置において、制御装置には、前記入力装置からの特定オーダーのプリント指示信号の入力に伴い、プリント処理中の通常オーダー分のプリントを途中で一時中断して、特定オーダー分のプリント処理を優先して行なった後、プリント途中で一時中断した通常オーダー分の残りのプリント処理を再開させるプリント処理割り込み機能と、プリント処理割り込み機能の作動により、プリント処理されたプリントが複数の受皿に分かれて収容された通常オーダー分のプリントの収容先を表示部に表示させるプリント分別収容表示制御機能とが構築されていることを特徴とするものである。
【００１２】
請求項４に記載の発明は、請求項１、２または３に記載のプリント処理装置において、表示部が、仕分け部の各受け皿に対応して設けられたランプから構成されて、プリント分別収容表示制御機能により特定された受け皿に対応したランプを点灯させるようにしていることを特徴とするものである。
【発明の効果】
【００１３】
請求項１に記載の発明によれば、例えば、1オーダー分のプリント枚数が多すぎて、複数の受け皿に分けられて収容された場合でも、表示部を確認するだけで、複数の受け皿に分けられた１オーダー分のプリントを他のオーダーのプリント中から簡単に識別することが出来るので、どの受け皿に分かれて収容されたのかを確認する手間が省け、作業性が向上するのは勿論、プリントのとり間違えなども少なく出来る。
【００１４】
請求項２に記載の発明によれば、例えば複数の入力装置から同時期に複数の急ぎのプリント依頼などにより、複数の特定オーダーがそれぞれ複数の受け皿に分けられて収容された場合でも、表示部を確認するだけで、それぞれの特定オーダー分のプリントを他の特定オーダーのプリント中から簡単に識別することが出来るので、どの受け皿に分かれて収容されたのかを確認する手間が省け、作業性が向上するのは勿論、プリントのとり間違えなども少なく出来る。
【００１５】
請求項３に記載の発明によれば、例えば急ぎのプリント依頼などにより、通常のオーダ
ー分のプリント処理が途中で一時中断された後、再度通常のオーダー分のプリント処理が再開されて、出来上がったプリントが複数の受け皿に分けられて収容された場合でも、表示部を確認するだけで、複数の受け皿に分けられたオーダー分のプリントを他のオーダーのプリント中から簡単に識別することが出来るので、どの受け皿に分かれて収容されたのかを確認する手間が省け、作業性が向上するのは勿論、プリントのとり間違えなども少なく出来る。
【００１６】
また請求項４に記載の発明によれば、請求項１に記載の発明の効果に加え、点灯しているランプを確認するだけで、複数の受け皿に分けられたオーダー分のプリントを他のオーダーのプリント中から簡単に識別することが出来、点灯しているランプに対応する受け皿に載っているプリントを取り出すだけで、複数の受け皿に分かれて収容されたオーダー分のプリントを確実に纏めることが出来る。
【発明を実施するための最良の形態】
【００１７】
図１は、本発明にかかるプリント処理装置の一例を概略的に示したものであって、このプリント処理装置は、基本的には、プリント用紙の一例である印画紙Ｐに画像をプリント処理するためのプリント処理部１と、プリント処理部１で仕上がったプリントを仕分けるための仕分け部５とが備えられている。
【００１８】
プリント処理部１は、撮影データの受付機２と、この受付機２で受け付けた撮影データに基づいて、プリント用紙の一例である印画紙Ｐに画像を焼き付けるためのプリンター３と、プリンター３で画像が焼き付けられた印画紙を現像するためのプロセッサ４とから構成され、図に示す実施形態では、受付機２が３台搭載されている。
【００１９】
受付機２には、各種記録メディアから撮影データを取得するためのデータ読み取り装置２１、撮影データなどを表示するための液晶型のディスプレイ２２、前述のデータ読み取り装置２１やディスプレイ２２を主として制御するためのコンピュータから構成されるサブコントローラ２３などが備えられ、サブコントローラ２３には画像処理ソフトウエア等がインストールされている。
【００２０】
ディスプレイ２２は、液晶画面の前面にタッチセンサーが装着された所謂タッチパネル式のものが用いられ、液晶画面に表示された画像を指先等でタッチ操作することによって、各種信号を出力する機能が備えられ、このディスプレイ２２の液晶画面が各種情報の入力装置として用いられる。
【００２１】
そして受付機２のデータ読み取り装置２１により読み取られた画像データは、所定の処理プログラム及び入力されるプリントサイズなどの各種情報に基づいてサブコントローラ２３により適宜処理された後、順次プリントデータとしてプリンター３に搭載したメインコントローラ３０に出力するようにしている。
【００２２】
プリンター３は、受付機２で作成されたプリントデータを印画紙Ｐに焼き付けるためのものであり、受付機２から出力されたプリントデータなどを入力するためのメインコントローラ３０と、ロール状に巻かれた印画紙を充填したペーパーマガジン３１ａ・３１ｂと、ペーパーマガジン３１ａ・３１ｂから送り出される印画紙Ｐを搬送するための搬送機構３２と、搬送機構３２で搬送される印画紙Ｐにメインコントローラ３０を介して画像データを露光するための露光機構３３とが搭載されている。
【００２３】
そしてプリンター３では、受付機２のメインコントローラ２５から出力されるプリントデータがメインコントローラ３０に入力されるに伴い、このメインコントローラ３０で露光用データが生成されて、露光機構３３に出力されるようにしている。
【００２４】
尚、露光機構３３の方式としては、レーザービーム方式、ＰＬＺＴシャッター方式、液晶シャッター方式、蛍光ビーム方式等が知られており、仕様に応じて任意の方式を採択することが出来る。
【００２５】
プロセッサ４は、プリンター３で画像が焼き付け処理された印画紙Ｐを現像処理するための現像処理機構４１と、現像処理機構４１で現像処理された印画紙を乾燥するための乾燥処理機構４２と、乾燥処理された印画紙Ｐを搬出するためのプリント搬出機構４３と、このプリント搬出機構４３から排出された印画紙Ｐを後記する仕分け部５に向けて搬送するための搬送コンベヤ４４とを備えて成り、搬送コンベヤ４４の下流側に仕分け部５を配置し、搬送コンベヤ４４により搬送されて来た印画紙Ｐを仕分け部５により例えばオーダー毎に仕分けするようにしている。
【００２６】
現像処理機構４１は複数の処理槽を備えており、これら処理槽には、現像液、漂白・定着液、安定化液等の各種処理液がそれぞれ個別に貯溜されている。
【００２７】
乾燥処理機構４２は、印画紙Ｐを乾燥するためのヒーターを備え、搬送機構（図示せず）で印画紙Ｐを搬送させる間に印画紙Ｐをヒーターによって適宜乾燥するようにしており、乾燥処理機構４２で乾燥された印画紙Ｐは、プリント搬出機構４３に送られるようになっている。
【００２８】
仕分け部５は、図１にも示すように、多数の受け皿５１を備えて成り、基本的には、例えば１オーダー分プリントされた印画紙Ｐがプリント搬出機構４３から搬送コンベヤ４４を介して最上部に位置する受け皿５１に搬送された段階で、その受け皿５１を駆動機構（図示せず）を介して下方に移送すると共に、続いて搬送されて来る次のオーダー分のプリントされた印画紙Ｐを次の受け皿５１に収容するようにしているのであって、以上の仕分け部５の駆動は、メインコントローラ３０により制御される。
【００２９】
以上の構成から成るプリント処理装置において、図に示す実施形態では、メインコントローラ３０のプログラム上に、ディスプレイ２２の液晶画面に表示された画像をタッチ操作することで出力される特定オーダー（具体的には急ぎのプリント「超早プリント仕上げ」のオーダー）のプリント指示信号の入力に伴い、プリント処理中の通常オーダー分のプリントを途中で一時中断して、特定オーダー分のプリント処理を優先して行なった後、プリント途中で一時中断した通常オーダー分の残りのプリント処理を再開させるプリント処理割り込み機能３４と、プリント処理されたプリントが複数の受け皿５１に分かれて収容されたオーダー分のプリントの収容先を表示部６に表示させるためのプリント分別収容表示制御機能３５とが構築されている。
【００３０】
プリント分別収容表示制御機能３５は、1オーダーのプリント枚数が多くて、1つの受け皿５１には収容しきれなくて複数の受け皿５１に分けて収容する場合に、そのプリントＰが複数の受け皿５１に分かれて収容された収容先を表示部６に表示させるための第１表示制御部３５ａと、複数の入力装置、具体的には複数の受付機２からそれぞれ特定オーダーのプリント指示信号が入力されるに伴い、プリント処理されたプリントが複数の受け皿５１に分かれて収容された特定オーダー分のプリントの収容先を表示部６に表示させるための第２表示制御部３５ｂと、プリント処理割り込み機能３４の作動により、プリント処理されたプリントが複数の受皿５１に分かれて収容された通常オーダー分のプリントの収容先を表示部６に表示させるための第３表示制御部３５ｃとが構築されている。
【００３１】
実施形態では、受付機２のディスプレイ２２に表示される画面中の「超早プリント仕上げ」（特定オーダー）の画像がタッチ操作されることで、メインコントローラ３０のプリント処理割り込み機能３４乃至プリント分別収容表示制御機能３５が作動するようにしている。
【００３２】
一方、仕分け部５のハウジング５０の正面側には、各受け皿５１に対応する複数のランプ６１を設けて、このランプ６１を表示部６として用い、プリント分別収容表示制御機能３５の制御により、1オーダー分のプリントが分かれて収容された複数の受け皿５１に対応するランプ６１を点灯または点滅させるようにしている。
【００３３】
ランプ６１はＬＥＤから構成されている。
【００３４】
以上のランプ６１は、受け皿５１が移動するに伴い、プリント分別収容表示制御機能３５の制御により、移動前に点灯していたランプ６１が消灯して、その受け皿５１の移動した位置に対応するランプ６１が点灯するようにしている。
【００３５】
また以上の実施形態では、例えば「超早プリント仕上げ」が２つの受付機２から同時期に行なわれた場合には、各受付機２からメインコントローラ３０に出力される「超早プリント仕上げ」の所定枚数毎の画像データが交互にプリンター３及びプロセッサ４でプリント処理されて、出力される所定枚数ごとの画像データのプリントがプリント搬出機構４３から搬送コンベヤ４４を介して仕分け部５の受け皿５１に収容されるようにしている。
【００３６】
従って、以上の実施形態では、受け皿５１に収容される複数オーダーのプリントを分けるために、各受付機２に予め識別子を付与しておき、プリント処理時、その識別子をプリントの裏面に印字装置（図示せず）により印字するようにしているのであって、これにより、複数の受け皿５１に収容される複数オーダーの超早プリント仕様のプリントを簡単にオーダー毎に仕分けることが出来る。
【００３７】
以上の構成からなるプリント処理装置の動作を説明する。
【００３８】
先ず以上のプリント処理装置により、通常のオーダー分のプリント処理を行なうに際しては、顧客が受付機２のディスプレイ２２に表示される画面に従って、１オーダー分のプリントサイズなどの各種情報をサブコントローラ２３に入力した後、ディスプレイ２２上に表示されるＯＫボタンをタッチ操作することで、１オーダー分のプリント処理がプリンター3及びプロセッサ４にて行なわれるのであって、以上のプリント処理により出来上がったプリントは、プリント搬出機構４３から搬送コンベヤ４４を介して仕分け部５の1つの受け皿５１に順次収容されるのである。そして、１オーダー分のプリントが受け皿５１に収容された段階で、その受け皿５１が一段下方に移動すると共に、新しい受け皿５１が搬送コンベヤ４４と対応する位置に移動して、この新しい受け皿５１に、続いて搬送されて来る次のオーダー分のプリントが収容されるのである。
【００３９】
ところで前述のプリント処理に際して1オーダー分のプリント枚数が受け皿５１の最大収容枚数を超えている場合には、メインコントローラ３０の制御により、１オーダー分のプリントが複数の受け皿５１に分かれて収容されることとなるが、この時には、プリント分別収容表示制御機能３５の第１表示制御部３５ａにより、プリントが分かれて収容された２つの受け皿５１に対応する２つのランプ６１が点灯するのであり、更にプリント処理作業の継続により、これら２つの受け皿５１が下方に移動するに伴い、移動前に点灯していたランプ６１が消灯して、その受け皿５１の移動した位置に対応するランプ６１が点灯するのである。
【００４０】
斯くして以上のプリント処理装置では、ランプ６１の点灯により、複数の受け皿５１に分かれて収容されたオーダー分のプリントを簡単に識別することが出来るので、どの受け皿５１に分かれて収容されたのかを確認する手間が省け、点灯しているランプ５１と対応する位置の受け皿５１に載っているプリントを取り出すだけで、複数の受け皿５１に分かれて収容されたオーダー分のプリントを容易にまとめることが出来る。
【００４１】
次に複数の受付機２で特定オーダーとなる「超早プリント仕上げ」が同時期に受け付けられた場合について説明する。
【００４２】
即ち、「超早プリント仕上げ」では、各受付機２において、先ず図４の（ａ）の画面中の「超早プリント仕上げ」の選択後に、ディスプレイ２２に表示される図４の（ｂ）の画面中の例えば8つの画像に対して各種画像処理を施した後、図４の（ｃ）の画面中に表示されているＯＫボタンをタッチ操作することで、この８つの画像のデータがメインコントローラ３０に送られてプリント処理が直ちに開始されるのであって、この８つの画像のプリント処理と並行して、続いてディスプレイ２２に表示される画像に対しても、同様に各種画像処理を施した後、ディスプレイ２２の「ＯＫボタン」をタッチ操作することで、この画像のプリント処理も続いて行なわれて、「ＯＫボタン」のタッチ操作毎のプリントが、順次、仕分け部５の受け皿５１にそれぞれ個別に収容されるのであって、この時には、プリント分別収容表示制御機能３５の第２表示制御部３５ｂの制御により、それぞれの受付機２からの特定オーダー分のプリントが分かれて収容された複数の受け皿５１に対応する複数のランプ６１が点灯するのである。
【００４３】
この場合、複数の特定オーダー分のプリントを識別するためには、各受付機２に対応してランプ６１を異なる色彩で点灯させるか、あるいはランプ６１を常時点灯させるものと点滅させるものとにより識別するようにしてもよい。
【００４４】
一方、プリンター3及びプロセッサ４にて通常のオーダー分のプリント処理が行なわれている途中で、受付機２の1つにおいて、ディスプレイ２２に表示される画面中の「超早プリント仕上げ」の画像がタッチ操作されて、特定オーダーとなる「超早プリント仕上げ」が受け付けられた場合について説明する。
【００４５】
即ち、「超早プリント仕上げ」により、1オーダーが例えば１５画像のプリント処理を注文するには、まず、図４の（ａ）の画面中の「超早プリント仕上げ」の選択後に、ディスプレイ２２に表示される図４の（ｂ）の画面中の8つの画像に対して各種画像処理を施した後、図４の（ｃ）の画面中に表示されているＯＫボタンをタッチ操作することで、この８つの画像のデータがメインコントローラ３０に送られてプリント処理が直ちに開始されるのであって、この８つの画像のプリント処理と並行して、続いてディスプレイ２２に表示される残りの７画像に対しても、同様に各種画像処理を施した後、ディスプレイ２２の「ＯＫボタン」をタッチ操作することで、この残りの７つの画像のプリント処理も前述の８つの画像のプリント処理に続いて行なわれる。
【００４６】
そしてこれら１５画像分のプリントが仕分け部５の受け皿５１に収容されて、「超早プリント仕上げ」が終了した段階で、「超早プリント仕上げ」のプリントが収容された受け皿５１が一段下方に移動する一方、途中で中断している通常のオーダー分のプリントの残りプリント処理が再開され、プリント処理された残りのプリントが新しい受け皿５１に収容されるのであって、この時、プリント分別収容表示制御機能３４の制御により、通常のオーダー分のプリントが分かれて収容された２つの受け皿５１に対応する２つのランプ６１が点灯するのであり、更にプリント処理作業の継続により、これら２つの受け皿５１が下方に移動するに伴い、移動前に点灯していたランプ６１が消灯して、その受け皿５１の移動した位置に対応するランプ６１が点灯するのである。
【００４７】
斯くして以上のプリント処理装置では、「超早プリント仕上げ」のプリント依頼により、通常のオーダー分のプリント処理が途中で一時中断された後、再度通常のオーダー分のプリント処理が再開されて、通常のオーダー分のプリントが複数の受け皿に分けられて収容されてしまった場合でも、ランプ６１の点灯により、複数の受け皿５１に分けられた通常オーダー分のプリントを他のオーダーのプリント中から簡単に識別することが出来るので、どの受け皿５１に分かれて収容されたのかを確認する手間が省け、点灯しているランプ５１と対応する位置の受け皿５１に載っているプリントを取り出すだけで、複数の受け皿５１に分かれて収容されたオーダー分のプリントをまとめることが出来る。
【００４８】
以上の実施形態では、プリント分別収容表示制御機能３５の制御により、1オーダー分のプリントが分かれて収容された複数の受け皿５１に対応するランプ６１を点灯させるようにしているが、プリント分別収容表示機能３５により、「超早プリント仕上げ」のプリントが収容される受け皿５１に対応したランプ６１も同時に点灯させるようにしてもよく、この場合は、両者を区別するために、例えば「超早プリント仕上げ」のプリントが収容される受け皿５１に対応するランプ６１は点灯させるのに対して、1オーダー分のプリントが分かれて収容された複数の受け皿５１に対応するランプ６１は点滅させるようにするか、若しくは、ランプ６１を複数の異なる色彩に点灯可能なＬＥＤを使用して、超早プリントが収容される受け皿に対応するランプと1オーダー分のプリントが分かれて収容された複数の受け皿５１に対応するランプ６１とを異なる色彩で点灯させるようにするのが好ましい。
【００４９】
また1オーダー分のプリントが例えば２つの受け皿５１に分かれて収容された場合に、そのうちの1つの受け皿５１に対応するランプを先ず点灯させて、この受け皿５１からプリントを取り出した時点で、残りの受け皿５１に対応するランプを点滅させるようにすることで、1オーダーのプリントが分けられた受け皿を示すようにしてもよい。
【００５０】
また以上の実施形態では、表示部６を複数のランプ６１から構成したが、これに限定されるものではなく、例えば仕分け部５の受け皿５１毎に予め識別番号を付与すると共に、表示部６を前記識別番号が表示可能な例えば液晶ディスプレイから構成し、プリント分別収容表示機能３４により特定された受け皿５１に対応する識別番号を前述の液晶ディスプレイに表示させるようにしてもよい。
【００５１】
また以上の実施形態では、プリンター３とプロセッサ４から成るプリント処理部を備えたプリント処理装置に本発明を適用したが、これに限定されるものではなく、例えばインクジェット式プリント装置が搭載されたプリント処理部を備えたプリント処理装置に本発明を適用してもよい。
【図面の簡単な説明】
【００５２】
【図１】本発明にかかるプリント処理装置の斜視図。
【図２】同、プリント処理装置の構成図。
【図３】同、プリント処理装置の制御系統の構成図。
【図４】受付機のディスプレイに表示される画像の例を示す説明図。
【符号の説明】
【００５３】
１     プリント処理部
２     受付機
２２   ディスプレイ（入力装置）
３     プリンター
３０   メインコントローラ（制御装置）
３４   プリント処理割り込み機能
３５   プリン市分別収容表示制御機能
４     プロセッサ
５     仕分け部
５１   受け皿
６     表示部
６１   ランプ
【図１】
2007052314.tif 000003
【図２】
2007052314.tif 000004
【図３】
2007052314.tif 000005
【図４】
2007052314.tif 000006